【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
投与した薬品に関する費用の請求を行うための調剤報酬明細書を作成する調剤報酬明細書作成装置であって、
薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースと、
前記略号の入力を受け付ける入力受付手段と、
前記入力受付手段により受け付けられた前記略号と一致する略号が対応付けられた薬品名を、前記データベースから検索する検索手段と、
前記検索手段により検索された薬品名を選択候補群として表示する表示手段と、
前記表示手段により表示された前記選択候補群からの薬品名の選択を受け付ける選択受付手段と、
前記選択受付手段により受け付けられた薬品名を所定の項目に入力する入力手段と、
前記入力手段によって入力された内容に基づいて前記調剤報酬明細書の印刷を行う印刷手段と、
を備えたことを特徴とする調剤報酬明細書作成装置。
【請求項２】
前記データベースは、薬品の用法に関する用法データおよび薬品の用量に関する用量データを、前記薬品名と対応付けて格納し、
前記入力手段は、前記選択受付手段により受け付けられた薬品名に対応付けられている前記用法データおよび前記用量データを、該当する各項目に入力することを特徴とする請求項１記載の調剤報酬明細書作成装置。
【請求項３】
前記印刷手段は、１行分の印刷領域中に、前記入力手段によって入力された前記薬品名を複数記載することを特徴とする請求項１または請求項２記載の調剤報酬明細書作成装置。
【請求項４】
薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用される調剤報酬明細書作成方法であって、
前記略号の入力を受け付ける第１ステップと、
前記第１ステップにより受け付けられた前記略号と一致する略号が対応付けられた薬品名を、前記データベースから検索する第２ステップと、
前記第２ステップにより検索された薬品名を選択候補群として表示する第３ステップと、
前記第３ステップにより表示された前記選択候補群からの薬品名の選択を受け付ける第４ステップと、
前記第４ステップにより受け付けられた薬品名を所定の項目に入力する第５ステップと、
前記第５ステップによって入力された内容に基づいて前記調剤報酬明細書の印刷を行う第６ステップと、
を有することを特徴とする調剤報酬明細書作成方法。
【請求項５】
薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用する調剤報酬明細書作成プログラムであって、
前記略号の入力を受け付ける入力受付機能と、
前記入力受付機能により受け付けられた前記略号と一致する略号が対応付けられた薬品名を、前記データベースから検索する検索機能と、
前記検索機能により検索された薬品名を選択候補群として表示する表示機能と、
前記表示機能により表示された前記選択候補群からの薬品名の選択を受け付ける選択受付機能と、
前記選択受付機能により受け付けられた薬品名を所定の項目に入力する入力機能と、
前記入力機能によって入力された内容に基づいて前記調剤報酬明細書の印刷を行う印刷機能と、
をコンピュータに実現させることを特徴とする調剤報酬明細書作成プログラム。
【請求項６】
薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用する調剤報酬明細書作成プログラムを記憶した記憶媒体であって、
前記略号の入力を受け付ける入力受付機能と、
前記入力受付機能により受け付けられた前記略号と一致する略号が対応付けられた薬品名を、前記データベースから検索する検索機能と、
前記検索機能により検索された薬品名を選択候補群として表示する表示機能と、
前記表示機能により表示された前記選択候補群からの薬品名の選択を受け付ける選択受付機能と、
前記選択受付機能により受け付けられた薬品名を所定の項目に入力する入力機能と、
前記入力機能によって入力された内容に基づいて前記調剤報酬明細書の印刷を行う印刷機能と、をコンピュータに実現させることを特徴とする調剤報酬明細書作成プログラムを記憶した記憶媒体。
【手続補正２】
【補正対象書類名】明細書
【補正対象項目名】００１６
【補正方法】変更
【補正の内容】
【００１６】
ディスプレイ１５は、例えばＣＲＴ（Ｃａｔｈｏｄｅ  Ｒａｙ  Ｔｕｂｅ）ディスプレイ、液晶ディスプレイ、プラズマディスプレイなどで構成された情報を画面上に提示するための装置である。ディスプレイ１５は、ユーザが調剤報酬明細書を作成するために入力する文字列を入力する欄や、所定の選択肢を表示したりする。
プリンタ１６は、調剤報酬明細書作成装置１での処理結果を印刷出力する出力装置であり、例えば、インクジェットプリンタ、レーザプリンタ、熱転写プリンタ、ドットプリンタなどの各種プリンタ装置によって構成されている。
サーバ２０は、例えば、薬剤データベース（ＤＢ）２１、生薬データベース２２、患者データベース２３など、調剤報酬明細書を作成する際に必要となる情報を有する各種データベースを備えている。なお、サーバ２０は、バスラインを介してＣＰＵ１１等と接続されているが、ＣＰＵ１１からのアクセスが可能であれば、例えば、ＬＡＮ（ローカル・エリア・ネットワーク）やインターネット等のネットワーク上に配置するようにしてもよい。
【手続補正３】
【補正対象書類名】明細書
【補正対象項目名】００１８
【補正方法】変更
【補正の内容】
【００１８】
また、略号を形成する際に次のような規則を予め定めておくようにする。
（１）促音「ッ」は無視する。
例えば、「タップラック」という名称の薬品名である場合には、促音を無視し、「タプラク」と表記された場合におけるローマ字表記に基づいて略号を構成する。
（２）長音記号「ー」は無視する。
例えば、「ルーゴルクリーム」という名称の薬品名である場合には、長音記号を無視し、「ルゴルクリム」と表記された場合におけるローマ字表記に基づいて略号を構成する。
（３）拗音「ャ」「ュ」「ョ」はその前の文字と組合せて１文字とする。
例えば、「キャ」という語句が名称に含まれる薬品名である場合には、「キャ」を１文字として認識し、「ｋｙａ」と表記する。「キャ」を「キ」と「ャ」のように別々の文字として認識しない。
（４）ローマ字表記で用いられない「ｌ，ｑ，ｖ，ｘ」は用いない。
【手続補正４】
【補正対象書類名】明細書
【補正対象項目名】００２５
【補正方法】変更
【補正の内容】
【００２５】
なお、略号に基づいて薬品名の絞り込み検索を行う際の検索効率、つまりステップ１３の処理におけるヒット率を向上させるために、データベースの検索時にあいまい検索機能を用いるようにしてもよい。
このあいまい検索機能とは、指定した条件が完全に一致しない場合でも、一致したものと見なして検出する検索方法であり、例えば、英字の大文字と小文字を区別しない、半角と全角を区別しない、スペースやハイフンが挿入されていても無視するなどといった方法を用いて検索を実行するものである。
特に、本実施の形態においては、ユーザの判断（導出）した略号をキーワードとして検索処理を実行している。そのため、適切な略号が入力されなかった場合、つまりユーザが誤入力した場合や、略号の導出過程においてミスをした場合、つまりユーザによって正しい略号が判断（導出）されなかった場合には、適切な候補薬品名が表示されない場合がある。
【手続補正５】
【補正対象書類名】明細書
【補正対象項目名】００２６
【補正方法】変更
【補正の内容】
【００２６】
そこで、ローマ字を扱う際に生じやすい誤りを予め考慮し、略号と一致する薬品名を検索する際に、例えば、次に示すような検索機能を用いるようにしてもよい。
（ａ）入力された略号に「ｌ（エル）」が含まれている場合には、入力された略号に基づく検索処理と、入力された略号の「ｌ（エル）」の部分を「ｒ」に置換した略号に基づく検索処理と、を併せて実行し、双方の検索（検出）結果を候補薬品名として一覧表示する。
（ｂ）入力された略号に「ｊ」が含まれている場合には、入力された略号に基づく検索処理と、入力された略号の「ｊ」の部分を「ｚ」に置換した略号に基づく検索処理と、を併せて実行し、双方の検索（検出）結果を候補薬品名として一覧表示する。
（ｃ）入力された略号に「ｖ」が含まれている場合には、入力された略号に基づく検索処理と、入力された略号の「ｖ」の部分を「ｂ」に置換した略号に基づく検索処理と、を併せて実行し、双方の検索（検出）結果を候補薬品名として一覧表示する。
なお、上記（ａ）〜（ｃ）に示す検索機能は、あいまい検索機能の一例であり、入力処理の簡便性を考慮して任意に変更または設定することができるようになっている。
【手続補正６】
【補正対象書類名】明細書
【補正対象項目名】００２９
【補正方法】変更
【補正の内容】
【００２９】
表示画面を確認した後、ユーザによって決定等の図示しないボタン（キー）が押下（選択）されると、ＣＰＵ１１は、ディスプレイ１５上に表示されているデータを、調剤報酬明細書内の処方内容の欄に記載（入力）し（ステップ１８）、処理を終了する。
なお、本実施の形態に係る調剤報酬明細書作成装置１では、記載項目に関するデータの入力が終了した後、印刷コマンドを指定することによって、入力されたデータが規定のフォーマット上の該当する項目に配置された状態で印刷出力されるようになっている。この印刷出力処理はプリンタ１６で実行される。
なお、上述したＣＰＵ１１において実行される処理内容を調剤報酬明細書作成プログラムとし、この調剤報酬明細書作成プログラムは、機械読み取り可能な記憶（記録）媒体に格納することができる。記憶媒体としては、例えば、ＣＤ−ＲＯＭ、ＤＶＤ−ＲＯＭ、フレキシブルディスク、光磁気ディスク等がある。
【手続補正７】
【補正対象書類名】明細書
【補正対象項目名】００３０
【補正方法】変更
【補正の内容】
【００３０】
本実施の形態では、略号を入力することによって調剤報酬明細書内の処方内容の欄に薬品名および関連情報を入力するようにしている。しかしながら、各情報の入力方法はこれに限られるものではなく、通常の薬品名を全て入力するようにしても、また、先頭の数文字を入力した後、サーバ２０へアクセスしてこの文字列に一致する薬品名を検索し、その検索結果を候補薬品名として一覧表示するようにしてもよい。
なお、本実施の形態では、略号をアルファベット３文字で定義するようにしているが、文字数は、これに限られるものではなく、２文字、４文字等、データベースに格納されているデータ量に応じで任意に変更するようにしてもよい。
【手続補正８】
【補正対象書類名】明細書
【補正対象項目名】００３１
【補正方法】変更
【補正の内容】
【００３１】
また、略号の入力字数を増やしていきながら徐々に薬品名の絞り込みを行うようにしてもよい。例えば、「トムラダボクエキスカリュウ（イリョウヨウ）」という名称の薬品名を入力する場合について説明する。まず、ユーザは、「トムラダボクエキスカリュウ（イリョウヨウ）」の先頭の３文字に基づいて「ｔｍｒ」という略号を導出し、この略号を図４のａの領域に入力する。すると、略号「ｔｍｒ」と一致する薬品名の検索（検出）が実行された後、候補薬品名が一覧表示される。ここで仮に、略号「ｔｍｒ」と一致する薬品名の数が３０種類を超えてしまったとすると、候補薬品名を一覧表示する際に、全ての薬品名をディスプレイ１５上に表示しきれなくなってしまう。このような場合、ユーザは、該当する薬品名を選択する際に、画面上のスクロールバーを操作しなければならなくなってしまう。
【手続補正９】
【補正対象書類名】明細書
【補正対象項目名】００３２
【補正方法】変更
【補正の内容】
【００３２】
そこで、ユーザは、「トムラダボクエキスカリュウ（イリョウヨウ）」の先頭の４文字に基づいて「ｔｍｒｄ」という略号を導出し、この略号を図４のａの領域に入力する。つまり、略号の４番目の「ｄ」を追加入力する。すると、ＣＰＵ１１によって、さらに薬品名の絞り込み検索が実行され、略号「ｔｍｒｄ」に該当する候補薬品名が一覧表示される。
なお、このように略号の入力字数を増やしていきながら徐々に薬品名の絞り込みを行う場合には、予め、サーバ２０に４文字以上のアルファベットから構成される略号データを格納しておく必要がある。
【手続補正１０】
【補正対象書類名】明細書
【補正対象項目名】００３６
【補正方法】変更
【補正の内容】
【００３６】
次に、調剤報酬明細書作成装置１で作成された調剤報酬明細書の出力方法について説明する。ここでは、多種の薬品（生薬）を調合した漢方薬を投与した場合に作成する調剤報酬明細書を例にとり説明する。
図６は、本実施の形態に係る調剤報酬明細書作成装置１で作成された調剤報酬明細書の出力例を示した図である。
図６に示すように、本実施の形態に係る調剤報酬明細書作成装置１では、調剤報酬明細書をプリンタ１６から印刷出力する場合に、調剤報酬明細書の処方薬の詳細を記載する項目の１行分の領域に、複数の薬品名とその投与量が表示されるように、データのレイアウト（配置）がされるようになっている。
【手続補正１１】
【補正対象書類名】明細書
【補正対象項目名】００３８
【補正方法】変更
【補正の内容】
【００３８】
【図１】本実施の形態に係る調剤報酬明細書作成装置の概略構成を示した図である。
【図２】薬剤データベースに格納されているデータを示した図である。
【図３】本実施の形態に係る調剤報酬明細書作成装置における調剤報酬明細書への入力処理の手順を示したフローチャートである。
【図４】略号を用いて薬品名を入力する際の表示画面の様子を示した図である。
【図５】候補薬品名から薬品名を選択した場合の表示画面の様子を示した図である。
【図６】本実施の形態に係る調剤報酬明細書作成装置で作成された調剤報酬明細書の出力例を示した図である。
【図７】従来の調剤報酬明細書の一例を示した図である。